(57)【特許請求の範囲】
【請求項１】
フアンケーシングとスタビライザで形成される風路に、送風フアンと略逆Ｖ字形に熱交換器を配置した室内機において、前記熱交換器の下部にそれぞれ水受皿を設け、前記室内機の本体の前方側に配置される前記熱交換器の高さ寸法は後方側に配置される前記熱交換器よりも小さく構成し、後方側に配置される前記水受皿を前方側に配置される前記水受皿よりも低い位置に配置し、前記室内機は冷凍サイクルブロックと送風ブロックからなり、前記冷凍サイクルブロックは少なくとも本体と上面カバーと前面カバーおよび水受皿で構成し、前記送風ブロックは、少なくともフアンケーシングとスタビライザと送風フアンおよびモータにより一体に前記冷凍サイクルブロックと分離構成し、前記冷凍サイクルブロックから脱着あるいは移動できる構成としてなる空気調和機。
【請求項２】
本体前方側に配置した水受皿とスタビライザおよび前面カバーで形成される空間部に、電装箱を配置してなる請求項１に記載の空気調和機。
【請求項３】
送風ブロックは接続手段としてコネクタにより冷凍サイクルブロックと電気接続してなる請求項１または２に記載の空気調和機。
【請求項４】
フアンケーシングとスタビライザで形成される風路に、送風フアンと熱交換器を配置した室内機において、前記熱交換器の下部にドレンホース接続口を設けた水受皿を設け、前記水受皿は本体後方側の送風フアンの背面側に配置し、前記熱交換器の上方側は本体の前方側に傾斜して配置してなる空気調和機。
【請求項５】
スタビライザに上下羽根と左右羽根を一体に構成してなる請求項１〜４のいずれか１項に記載の空気調和機。
【発明の詳細な説明】
【０００１】
【発明の属する技術分野】
本発明は、空気調和機に関するものである。さらに詳しくは清掃作業、サービス時の点検作業、部品交換作業を容易化するための室内機の構造に関する。
【０００２】
【従来の技術】
図７、図８は従来の一般的な家庭用のセパレート形空気調和機の室内機であり、図７、図８において、１は本体、２は上面カバー、３は前面カバー、４は吹出口である。上面カバー３および前面カバー３には、何れも吸込口５が設けられ、本体１に脱着可能に装着されている。
【０００３】
また、本体１にはファンケーシング６とスタビライザ７で形成される風路８を形成し、風路８にはクロスフローフアンからなる送風ファン９と逆Ｖ字形に配置した熱交換器１０ａ、１０ｂを設け、送風ファン９はモータ１１と軸受け１２により回転自在に配置されている。
【０００４】
また、熱交換器１０ａ、１０ｂの下部にはドレン水を受ける水受皿１３ａ、１３ｂを設け、本体１の前方側に配置される熱交換器１０ａの高さ寸法は、後方側に配置される熱交換器１０ｂよりも大きく構成されている。従って後方側に配置される水受皿１３ｂは、前方側に配置される水受皿１３ａよりも寸法Ｌ１だけ高い位置に配置されている。
【０００５】
そして、水受皿１３ａと水受皿１３ｂはトユ１３ｃにより連結され、また、水受皿１３ａにはドレンホース接続口１３ｄが設けられる。
【０００６】
また、吹出口４には、後方側に左右の風向を調節する多数の左右羽根１５がファンケーシング６に回動自在に軸支して設けられ、その前方側に上下の風向を調節する上下羽根１６が吹出口４の両側壁面４ａに回動自在に軸支して設けられ、さらに、前面カバー３の裏面側にはエアフイルタ１４を、また本体１の右端には電装箱１８を配設している。
【０００７】
そして、上記構成による空気調和機は、風路８に設けられた送風ファン９により吸込口５から吸入した空気を熱交換器１０ａ、１０ｂで熱交換して、吹出口４から冷風あるいは温風を送風する構成になっている。このとき空気中の大きな塵埃はエアフイルター１４で除去されるが、細かい塵埃は熱交換器１０ａ、１０ｂのフイン表面１０ｃや風路８および送風ファン９の送風羽根９ａの表面に付着し、使用頻度にもよるが使用２〜３年後には堆積した塵埃により著しく送風性能が低下するので、定期的な室内機の清掃作業が必要となるものである。
【０００８】
【発明が解決しようとする課題】
しかしながら、上記従来の構成では、この室内機の清掃作業時に上面カバーや前面カバーは取り外せるので比較的簡単に清掃作業を実施できるが、熱交換器の裏面や風路内や送風フアンは外部から直接目視確認の困難な場所に配置されており、また吹出口には上下羽根と左右羽根が固定配置されているため、例えば電気掃除機のノズルを挿入して送風フアンの送風羽根の付着塵埃を除去しようとしても、左右羽根が邪魔になり自在にノズルを左右に移動することができず、このため水受皿やスタビライザ、上下羽根、左右羽根等を取り外し、あるいは送風ファンを取外しての分解清掃となるものであった。
【０００９】
送風フアンを取り外すためには、ドレンホースの接続された水受皿とスタビライザを取り外す必要があり、このため元通り復元したとき接続部が緩み水漏れが発生しやすく、清掃作業は専門業者に任せざるを得ないものであった。
【００１０】
ことに、家庭用壁掛形のセパレート形空気調和機においては、部屋の壁面に壁掛け固定して設置され、また室内機と室外機が配管接続されているため、簡単に取り外して清掃できないので基本的には壁面に設置したままの高所清掃作業となり、清掃作業も長時間を要し非常に高価な清掃費用となるものであった。
【００１１】
また、サービス発生時におけるモータや送風フアンあるいは電装箱の点検や部品交換は、高所作業となることから困難を極めるものであった。
【００１２】
本発明は、このような課題に対して、清掃作業、サービス時の点検作業、部品交換作業の容易な空気調和機の提供を目的とするものである。
【００１３】
【課題を解決するための手段】
本発明の請求項１記載の発明は、フアンケーシングとスタビライザで形成される風路に、送風フアンと略逆Ｖ字形に熱交換器を配置した室内機において、前記熱交換器の下部にそれぞれ水受皿を設け、前記室内機の本体の前方側に配置される前記熱交換器の高さ寸法は後方側に配置される前記熱交換器よりも小さく構成し、後方側に配置される前記水受皿を前方側に配置される前記水受皿よりも低い位置に配置し、前記室内機は冷凍サイクルブロックと送風ブロックからなり、前記冷凍サイクルブロックは少なくとも本体と上面カバーと前面カバーおよび水受皿で構成し、前記送風ブロックは、少なくともフアンケーシングとスタビライザと送風フアンおよびモータにより一体に前記冷凍サイクルブロックと分離構成し、前記冷凍サイクルブロックから脱着あるいは移動できる構成としたものである。
【００１４】
この構成により、送風フアンの前方に近接して水受皿が介在しないのでドレンホースの接続された水受皿を取り外すことなく、前方から直接目視確認しながら送風フアンの付着塵埃の除去作業を容易に実施することができる。また、水洗いや部品交換時にも水受皿を取り外すことなく、送風フアンを容易に取り外すことができ、送風ブロックをスライドして移動し引き下げる簡単な動作で、本体を分解することなく、電気掃除機等により室内機の送風フアンや風路の清掃作業と、送風フアンやモータの交換作業を容易に実施することができる。
【００１５】
また、室内機の壁面への設置作業においても、送風ブロックを引き下げておけば、配管接続作業やドレンホースの装着作業を容易に実施することができる。
【００１６】
また、送風フアンは容易に上方へ取り外すこともできるので、送風フアンを取り外せば、送風フアンの水洗いや風路内の清掃を容易に実施することができる。
【００１７】
また、請求項２記載の発明は、本体前方側に配置した水受皿とスタビライザおよび前面カバーで形成される空間部に電装箱を配置したものである。
【００１８】
この構成により、電装箱に内臓された制御装置の点検や部品交換時は、前面カバーと電装カバーを開くことにより、正面から制御装置や部品全体を目視確認しながら容易に作業を実施することができる。
【００１９】
また、請求項３記載の発明は、送風ブロックは接続手段としてコネクタにより冷凍サイクルブロックと電気接続したものである。
【００２０】
この構成により、コネクタ接続を解除して容易に送風ブロックを床面まで降ろして作業が実施できるので、足場の不安定な高所作業を回避することができる。
【００２１】
また、請求項４記載の発明は、フアンケーシングとスタビライザで形成される風路に、送風フアンと熱交換器を配置した室内機において、熱交換器の下部にドレンホース接続口を設けた水受皿を設け、水受皿は本体後方側で送風フアンの背面側に配置して、熱交換器の上方側を本体の前方側に傾斜して配置したものである。
【００２２】
この構成により、送風フアンの前方側に熱交換器や水受皿が介在しないので、前方側から直接目視確認しながら送風フアンの清掃作業をより容易に実施することができる。また、送風フアンやモータの部品交換もより容易に実施することができる。
【００２３】
また、請求項５記載の発明は、スタビライザに上下羽根と左右羽根を一体に構成したものである。
【００２４】
この構成により、スタビライザを取り外せば、送風フアンや風路内の清掃をより容易に実施することができる。
【００２５】
【発明の実施の形態】
以下、本発明の実施形態について図１〜図６を用いて説明する。
【００２６】
なお、従来例と同一構成については、同一符号を付して説明する。
【００２７】
（実施形態１）
図１〜図３に、本実施形態１である家庭用壁掛形のセパレート形空気調和機の室内機を示す。
【００２８】
図１〜図３において、１は室内機の本体であり、２は上面カバー、３は前面カバー、４は吹出口である。
【００２９】
上面カバー２および前面カバー３には、何れも吸込口５が設けられ、本体１に脱着可能に装着されている。
【００３０】
また、本体１にはファンケーシング６とスタビライザ７で形成される風路８を形成し、風路８にはクロスフローフアンからなる送風ファン９と逆Ｖ字形に配置した熱交換器１０ａ、１０ｂを設け、送風ファン９はモータ１１と軸受け１２により回転自在に配置されている。
【００３１】
また、熱交換器１０ａ、１０ｂの下部にはドレン水を受ける水受皿１３ａ、１３ｂと、水受皿１３ａとスタビライザ７および前面カバー３で形成される空間部１７に、マイコンが搭載された制御装置等を内臓した電装箱１８を配置している。
【００３２】
本体１の前方側に配置される熱交換器１０ａの高さ寸法は、後方側に配置される熱交換器１０ｂよりも小さく構成されている。従って後方側に配置される水受皿１３ｂは、前方側に配置される水受皿１３ａよりも寸法Ｌ２だけ低い位置に配置される。
【００３３】
そして、水受皿１３ａと水受皿１３ｂはトユ１３ｃにより連結され、また、水受皿１３ｂにはドレンホース接続口１３ｄが設けられる。
【００３４】
また、吹出口４には、後方側に左右の風向を調節する多数の左右羽根１５がスタビライザ７に回動自在に軸支して設けられ、その前方側に上下の風向を調節する上下羽根１６がスタビライザ７から延出した支軸７ａに回動自在に軸支して設けられ、さらに、前面カバー３の裏面側にエアフイルタ１４を配設している。
【００３５】
また、図３に示すように、室内機は冷凍サイクルブロックＡと、フアンケーシング６、スタビライザ７、送風フアン９、モータ１１、左右羽根１５、上下羽根１６および電装箱１８からなる送風ブロックＢに分離して、送風ブロックＢはネジ２０を外すことにより、本体１の両側に設けた凸状のレール２５を送風ブロックＢの両側端に設けた凹状の溝２６に嵌合させ、スライドさせることにより所定位置から移動できる。また、冷凍サイクルブロックＡから前方に引き抜いて分離することができる構成としている。
【００３６】
さらに、スタビライザ７はフアンケーシング６の両側壁８ａにネジ８ｃで装着され、ネジ８ｃを外すことで取り外すことができる構成としている。
【００３７】
また冷凍サイクルブロックＡは、本体１、上面カバー２、前面カバー３、水受皿１３ａ、１３ｂで構成して、熱交換器１０ａ、１０ｂは接続配管２１により室外機（図示せず）と接続されて周知の冷凍サイクルを構成している。また、水受皿１３ｂのドレンホース接続口１３ｄにはドレンホース２２が接続される。
【００３８】
冷房運転時に熱交換器１０ａで除湿されたドレン水は、トユ１３ｃを介して熱交換器１０ｂで除湿されたドレン水と共に水受皿１３ｂに集められ、ドレンホース接続口１３ｄからドレンホース２２により排出される。
【００３９】
そして、上記構成による空気調和機は、風路８に設けられた送風ファン９により吸込口５から吸入した空気を熱交換器１０ａ、１０ｂで熱交換して、吹出口４から冷風あるいは温風を送風する構成になっている。
【００４０】
このとき、空気中の大きな塵埃はエアフイルター１４で除去されるが、細かい塵埃は熱交換器１０ａ、１０ｂのフイン表面１０ｃや風路８および送風ファン９の送風羽根９ａの表面に付着し、使用頻度にもよるが使用２〜３年後には堆積した塵埃により、著しく送風性能が低下するので、定期的な室内機の清掃作業が必要となるものである。
【００４１】
次に、上記構成による室内機の清掃作業について説明する。
【００４２】
先ず、上面カバー２と前面カバー３およびエアフイルター１４を本体１から取外し水洗いを実施する。その後、熱交換器１０ａ、１０ｂを市販の界面活性剤を主体とした熱交換器用洗浄剤により洗浄を実施する。つぎに、図３に示すように空気調和機の電源を停止状態にして後、ネジ２０を外して送風ブロックＢを斜め下方へスライドさせ引き下げる。
【００４３】
その後、電気掃除機のホース２３先端に挿入接続されたノズル２４を送風フアン９の送風羽根９ａに押し当て、ノズル２４を左右方向（送風フアン９の長手方向）に移動しながら送風羽根９ａ表面に付着した塵埃を吸引して清掃を実施する。
【００４４】
なお、ノズル２４は種々の形状のものが市販されているが、先端にブラシの付いた手ぼうきタイプのものが本実施形態の場合は適しており、送風羽根９ａを少しづつ回転させながら、送風フアン９全体の付着塵埃を除去することができる。
【００４５】
また、送風フアン９は容易に上方へ取り外すこともできるので、送風フアン９を取り外せば、送風フアン９の水洗いや風路内８の清掃をより確実に実施することができる。
【００４６】
また、ネジ８ｃを外してスタビライザ７を取り外せば、送風フアン９や風路内８の清掃をより容易に実施することができる。
【００４７】
そして、付着塵埃を除去後は、送風ブロックＢをネジ２０で元通りに装着し、さらに、上面カバー２と前面カバー３およびエアフイルター１４を、元通りに本体１に装着して清掃作業が完了する。
【００４８】
さらに、故障発生時のサービスに伴う点検作業、部品交換作業について説明する。
【００４９】
電装箱１８に内臓された制御装置の点検や部品交換時は、前面カバー３と電装カバー１８ａを開くことにより、正面から制御装置や部品全体を目視確認しながら容易に作業を実
施することができる。
【００５０】
また、送風フアン９やモータ１１の交換時には、上記清掃作業時と同様に、まず送風ブロックＢをスライドして移動し引き下げることにより、容易に交換作業を実施することができる。
【００５１】
また、送風ブロックＢに電装箱１８とモータ１１に電気接続されたコネクタ２７を設け、冷凍サイクルブロックＡ側に室外機（図示せず）と電気接続したコネクタ２８を設けておけば、この接続を解除して容易に送風ブロックＢを床面まで降ろして作業が実施できるので、高所作業を回避することができる。また、コネクタ２７、２８を図３に示す位置に配置しておけば、送風ブロックＢのスライドにより自動的に接続あるいは接続解除を行うこともできる。
【００５２】
また、室内機の壁面への設置作業にあたり、送風ブロックＢを図３に示すように引き下げておけば、接続配管２１の配管接続作業やドレンホース２２のドレンホース接続口１３ｄへの装着作業や装着確認も容易となる。
【００５３】
（実施形態２）
基本的な構成は上記実施形態１と同じであるが、熱交換器１０ｂを本体１の後方側のみに配置したものであり、図４および図５を用いて説明する。
【００５４】
図４および図５において、１はセパレート形空気調和機の室内機の本体であり、２は上面カバー、３は前面カバー、４は吹出口である。
【００５５】
上面カバー２と吸込口５が設けられた前面カバー３は、本体１に脱着可能に装着されている。
【００５６】
また、本体１にはファンケーシング６とスタビライザ７で形成される風路８を形成し、風路８には本体１の後方側に熱交換器１０ｂが、熱交換器１０ｂの上方側が本体１の前方側に傾斜して配置され、またクロスフローフアンからなる送風ファン９が回転自在に配置されている。さらに、熱交換器１０ｂの下方にはドレンホース接続口１３ｄを配設した水受皿１３ｂを本体１の後方側で、送風フアン９の背面側に設けている。
【００５７】
また、吹出口４には、後方側に左右の風向を調節する多数の左右羽根１５がスタビライザ７に回動自在に軸支して設けられ、その前方側に上下の風向を調節する上下羽根１６がスタビライザ７から延出した支軸７ａに回動自在に軸支して設けられている。
【００５８】
そして、スタビライザ７は風路８の両側壁８ａに嵌め込まれて、前板２５を介してネジ２５ａにより固定されている。
【００５９】
さらに、上面カバー２の下方側にエアフイルタ１４を配設している。
【００６０】
次に、上記構成による室内機の清掃作業について説明する。
【００６１】
先ず、上面カバー２と前面カバー３およびエアフイルター１４を本体１から取外し水洗いを実施する。その後、電源を停止状態にした後、ネジ２５ａを外して前板２５とスタビライザ７を取り外し、熱交換器１０ｂを市販の界面活性剤を主体とした熱交換器用洗浄剤で洗浄を実施する。次に、図５に示すように、電気掃除機のホース２３の先端に挿入接続されたノズル２４を送風フアン９の送風羽根９ａに押し当て、ノズル２４を左右方向に移動しながら送風羽根９ａ表面に付着した塵埃の除去を実施する。また、同様方法で風路８の付着塵埃の除去も実施する。
【００６２】
なお、ノズル２４は種々の形状のものが市販されているが、先端にブラシの付いた手ぼうきタイプのものが本実施形態の場合は適しており、送風羽根９ａを少しづつ回転させながら、送風フアン９全体の付着塵埃を除去することができる。
【００６３】
そして付着塵埃を除去後は、スタビライザ７および前板２５を元通りに装着し、さらに、上面カバー２と前面カバー３およびエアフイルター１４を元通り本体１に装着し清掃作業が完了する。
【００６４】
そして、この実施形態によれば、送風フアン９の前方側に実施形態１のような熱交換器１０ａや水受皿１３ａが介在しないので、前方側から直接目視確認しながら送風フアン９の清掃作業をより容易に実施することができる。また、送風フアン９やモータ１１の部品交換もより容易に実施することができる。
【００６５】
なお、本実施形態においては、電装箱１８は本体１の右端に配置され（図６参照）、比較的小能力の室内機への適用となる。
【００６６】
また、本実施形態で説明した熱交換器１０ａ、１０ｂを、図６に示すように二つ折りあるいは三つ折以上に形成しても同様の効果を得ることができるものである。
【００６７】
【発明の効果】
本発明は、以上説明したような形態で実施され、以下に記載するような効果を奏する。
【００６８】
請求項１記載の発明は、熱交換器の下部にそれぞれ水受皿を設け、室内機の本体の前方側に配置される熱交換器の高さ寸法は後方側に配置される熱交換器よりも小さく構成し、後方側に配置される水受皿を前方側に配置される水受皿よりも低い位置に配置したことにより、送風フアンの前方に近接して水受皿が介在しないのでドレンホースの接続された水受皿を取り外すことなく、前方から直接目視確認しながら送風フアンの付着塵埃の除去作業を容易に実施することができる。また、水洗いや部品交換時にも水受皿を取り外すことなく、送風フアンを容易に取り外すことができる。
【００６９】
この結果、専門業者でなくとも容易に水漏れの恐れなく短時間、かつ安価に清掃作業が実施できるものとなる。
【００７０】
また、室内機は冷凍サイクルブロックと送風ブロックからなり、冷凍サイクルブロックは少なくとも本体と上面カバーと前面カバーおよび水受皿で構成し、送風ブロックは、少なくともフアンケーシングとスタビライザと送風フアンおよびモータにより一体に前記冷凍サイクルブロックと分離して構成し、冷凍サイクルブロックから脱着あるいは移動できる構成としたことにより、送風ブロックをスライドして移動し引き下げる簡単な動作で、本体を分解することなく、電気掃除機等により室内機の送風フアンや風路の清掃作業と、送風フアンやモータの交換作業を容易に実施することができる。
【００７１】
また、室内機の壁面への設置作業においても、送風ブロックを引き下げておけば、配管接続作業やドレンホースの装着作業を容易に実施することができる。
【００７２】
また、送風フアンは容易に上方へ取り外すこともできるので、送風フアンを取り外せば、送風フアンの水洗いや風路内の清掃を容易に実施することができる。
【００７３】
請求項２記載の発明は、本体前方側に配置した水受皿とスタビライザおよび前面カバーで形成される空間部に、電装箱を配置したことにより、電装箱に内臓された制御装置の点検や部品交換時に、前面カバーと電装カバーを開くことにより、正面から制御装置や部品全体を目視確認しながら容易に作業を実施することができる。
【００７４】
また、送風フアンと吹出口を本体に対して図１に示すように横幅いっぱいに配置できるので、ワイドな吹出風を得ることができる。
【００７５】
請求項３記載の発明は、送風ブロックは接続手段としてコネクタにより冷凍サイクルブロックと電気接続したことにより、コネクタ接続を解除して容易に送風ブロックを床面まで降ろして作業が実施できるので、足場の不安定な高所作業を回避することができる。
【００７６】
請求項４記載の発明は、熱交換器の下部にドレンホース接続口を設けた水受皿を設け、水受皿は本体後方側の送風フアンの背面側に配置して、熱交換器の上方側は本体の前方側に傾斜して配置したことにより、送風フアンの前方側に熱交換器や水受皿が介在しないので、送風フアンを前方側から直接目視確認しながら、より容易に清掃作業を実施することができる。また、送風フアンやモータの部品交換もより容易に実施することができる。
【００７７】
請求項５記載の発明は、スタビライザに上下羽根と左右羽根を一体に構成したことにより、スタビライザを取り外せば同時に上下羽根と左右羽根が除去されるので、送風フアンや風路内の清掃をより容易に実施することができる。
【図面の簡単な説明】
【図１】  本発明の実施形態１を示す室内機の正面図
【図２】  図１のＸ―Ｘ縦断面図
【図３】  本発明の実施形態１における清掃状態を示す室内機の要部縦断面図
【図４】  本発明の実施形態２を示す室内機の縦断面図
【図５】  本発明の２における清掃状態を示す室内機の要部縦断面図
【図６】  本発明の実施形態における別の熱交換器構成を示す要部縦断面図
【図７】  従来の室内機の構成を示す正面図
【図８】  図７のＹ―Ｙ縦断面図
【符号の説明】
１  本体
２  上面カバー
３  前面カバー
４  吹出口
５  吸込口
６  ファンケーシング
７  スタビライザ
８  風路
９  送風フアン
９ａ  送風羽根
１０ａ、１０ｂ  熱交換器
１３ａ、１３ｂ  水受皿
１４  エアフイルター
１５  左右羽根
１６  上下羽根
１７  空間部
１８  電装箱
２０、８ｃ、２５ａ  ネジ
２１  接続配管
２２  ドレンホース
２４  ノズル
２５  レール
２６  溝
２７、２８  コネクタ
【図１】
0004507408.tif 000002
【図２】
0004507408.tif 000003
【図３】
0004507408.tif 000004
【図４】
0004507408.tif 000005
【図５】
0004507408.tif 000006
【図６】
0004507408.tif 000007
【図７】
0004507408.tif 000008
【図８】
0004507408.tif 000009